(57)【特許請求の範囲】
【請求項１】
他の通信機器から通信要求を受信する通信要求受信部と、
映像データを受信する映像受信部と、
前記映像受信部により受信された映像データに基づく映像を表示する表示部と、
前記表示部に重なるように設けられ、ユーザによる入力を検出する入力検出部と、
前記通信要求を受信した場合に、前記表示部に映像が表示されているか否かを判断する判断部と、
前記判断部により映像データが表示されていると判断された場合に、第１の画像を前記映像に重なるように表示し、
前記第１の画像が表示されている間に第１の入力が検出されたときは、前記表示部の表示領域を少なくとも第１表示領域と第２表示領域に分割し、前記第１表示領域に前記他の通信機器との通話を開始するための第２の画像を、そして前記第２表示領域に前記映像を表示させ、
前記第２の画像が表示されている間に第２の入力が検出されたときは、前記他の通信機器との通話を開始し、
前記判断部により映像データが表示されていないと判断されたときは、前記第１表示領域に前記他の通信機器との通話を開始するための第３の画像を表示させ、
そして、前記第３の画像が表示されている間に第３の入力が検出されたときは、前記他の通信機器との通話を開始する制御部と、
を有する携帯電子機器。
【請求項２】
少なくとも１つ以上の電話番号を記憶する記憶部と、
前記他の通信機器から通信要求を受信した場合に、前記他の通信機器の電話番号を取得する取得部と、を備え、
前記制御部は、
前記取得した電話番号が前記記憶部に記憶された電話番号に一致するか否かを判断し、
前記電話番号が前記記憶部に記憶された電話番号と一致しないと判断したときは、前記第１の画像を前記表示部に表示させないこと、
を特徴とする請求項１に記載の携帯電子機器。
【請求項３】
振動を検出する振動検出部を更に備え、
前記制御部は、前記判断部により映像データが表示されていると判断された場合において、前記振動検出部が振動を検出したときは、前記通信要求を拒否すること、
を特徴とする請求項１に記載の携帯電子機器。
【請求項４】
振動を検出する振動検出部を更に備え、
前記制御部は、前記判断部により映像データが表示されていると判断された場合において、前記振動検出部が振動を検出したときは、前記通信要求を留守番電話サービスに転送すること、
を特徴とする請求項１に記載の携帯電子機器。
【請求項５】
前記第１の入力とは、前記表示部に対してタッチが検出された後に前記タッチが移動することであること、
を特徴とする請求項１乃至請求項４に記載の携帯電子機器。
【請求項６】
前記制御部は、前記タッチが第１の方向に移動した場合には、前記表示部の表示領域を第１の方法にて分割し、前記タッチが前記第１の方向とは異なる第２の方向に移動した場合には、前記表示部の表示領域を前記第１の方法とは異なる第２の方法にて分割すること、
を特徴とする請求項５に記載の携帯電子機器。
【発明の詳細な説明】
【技術分野】
【０００１】
本発明は、タッチパネルディスプレイを有する携帯電子機器に関する。
【背景技術】
【０００２】
タッチパネルを有する携帯電子機器が知られている。また、近年の携帯電子機器は、パソコン等に引けを取らないような複雑な機能を実現できるようになっている。ディスプレイに表示されているアイコンを選択する場合には、ユーザは、表示されているアイコンを直接押下することで選択することができる。また、複数の通信方式に対応した携帯電子機器が知られている。
【先行技術文献】
【特許文献】
【０００３】
【特許文献１】特開２００６−３１１２２４号公報
【特許文献２】特開２００４−２００８５３号公報
【発明の概要】
【発明が解決しようとする課題】
【０００４】
しかしながら、上述のような携帯電子機器にて特定の機能が実行されている場合において、実行されている特定の機能に対してユーザが操作を試みようとした際に着信が検出されたときは、ユーザによる操作は、特定の機能に対してではなく、着信への応答として処理される場合がある。この場合にユーザは、ユーザの意図しないタイミングにて着信に応答しなければならず、使い勝手が悪い。
【０００５】
そこで、本発明は係る問題に鑑みてなされたものであり、携帯電子機器にて特定の機能を実行している場合において着信を検出したときに、ユーザの意図しないタイミングにて着信に応答することを回避することが可能な携帯電子機器を提供することを目的とする。
【課題を解決するための手段】
【０００６】
上記課題を解決するために本願発明に係る携帯電子機器は、他の携帯電話機から通話要求を受信する通話要求受信部と、映像データを受信する映像受信部と、前記映像受信部により受信された映像データに基づく映像を表示する表示部と、前記表示部に重なるように設けられ、ユーザによる入力を検出する入力検出部と、前記通話要求を受信した場合に、前記表示部に映像が表示されているか否かを判断する判断部と、前記判断部により映像データが表示されていると判断された場合に、前記入力部により所定の入力が検出されたか否かを判断する入力判断部と、前記入力部により所定の入力が検出された場合に、前記他の携帯電話機との通話を開始するための情報を前記表示部に表示させる表示制御部とを有することを特徴とする。
【発明の効果】
【０００７】
上記構成を備えることにより、ユーザの意図しないタイミングにて着信に応答することを回避することができる。
【図面の簡単な説明】
【０００８】
【図１】携帯電話機１００の外観斜視図である。
【図２】携帯電話機１００の構成図である。
【図３】表示部１１２に表示される画像の一例を示す図である。
【図４】表示部１１２に表示される画像の一例を示す図である。
【図５】表示部１１２に表示される画像の一例を示す図である。
【図６】表示部１１２に表示される画像の一例を示す図である。
【図７】表示部１１２に表示される画像の一例を示す図である。
【図８】携帯電話機１００にて行われる処理を説明するためのフローチャートである。
【図９】表示部１１２に表示される画像の一例を示す図である。
【図１０】表示部１１２に表示される画像の一例を示す図である。
【発明を実施するための形態】
【０００９】
以下、本発明に係る携帯電子機器の実施の形態としての携帯電話機１００について説明する。
【００１０】
図１は、携帯電話機１００の外観斜視図である。筐体には、タッチパネル１０２、スピーカ１０３、マイク１０４、及び操作部１０５が設けられている。タッチパネル１０２には、ユーザからの指示に基づいて、カーソルキーやテンキー等のキー群やアイコン等が表示される。
【００１１】
図２は、携帯電話機１００の構成図である。携帯電話機１００は、無線部１０７、マイク１０４、スピーカ１０３、信号処理部１０８、放送受信部１０９、操作部１０５、タッチパネル１０２、記憶部１１０、及び制御部１１１により構成される。
【００１２】
無線部１０７は、アンテナ１０６を介して送受信する信号の変復調を行う。また無線部１０７は、アンテナ１０６を介して、他の携帯電話機から送信された通話要求を受信することができる。無線部１０７は、他の携帯電話機が送信した通話要求を受信することができる。無線部１０７は、受信した通話要求を制御部１１１に出力する。また無線部１０７は、他の携帯電話機から送信された電子メール等のデータを受信し、制御部１１１へ出力することができる。
【００１３】
信号処理部１０８は、マイク１０４から入力される音声信号を無線部１０７を介して送信するための処理や、アンテナ１０６から無線部１０７を介して受信した音声信号をスピーカ１０３へ出力するための処理を行う。
【００１４】
マイク１０４は、入力された音声を音声信号として信号処理部１０８へ出力する。
【００１５】
スピーカ１０３は、信号処理部１０８にて処理された音声信号又は制御部１１１より受け取った音声データを音声として出力する。
【００１６】
放送受信部１０９は、制御部１１１からの指示に基づいて、デジタル放送等のテレビ放送波を受信することができる。放送受信部１０９は、受信したテレビ放送を制御部１１１に出力する。尚、テレビ放送は、複数の放送番組により構成されていてもよいし、一つの放送番組であってもよい。放送受信部１０９は、テレビ放送波に含まれる複数の放送番組のうち、ユーザにより選択された放送番組を受信し、受信した放送番組を制御部１１１に出力してもよい。また、放送受信部１０９は、テレビ放送波に含まれる複数の放送番組を同時に受信し、ユーザにより選択された放送番組を制御部１１１に出力してもよい。制御部１１１に出力された放送番組は、後述する表示部１１２に表示される。
【００１７】
操作部１０５は、ユーザによる操作を受け付けることができる。操作部１０５は受け付けた操作を制御部１１１に出力する。操作部１０５は、ハードキー等により構成される。
【００１８】
タッチパネル１０２は表示部１１２及び入力部１１３を有する。
【００１９】
表示部１１２は、ＬＣＤ（Ｌｉｑｕｉｄ  Ｃｒｙｓｔａｌ  Ｄｉｓｐｌａｙ）を含み、制御部１１１からの指示に基づいて、文字やアイコン等の画像、放送受信部１０９により受信された放送番組をＬＣＤに表示する機能を有している。
【００２０】
入力部１１３は、ユーザによるタッチを検出し、検出している間、単位時間（例えば１／６０秒）毎に、タッチしている位置の座標値を、制御部１１１及び記憶部１１０に出力する。タッチとは、ユーザが指等で入力部１１３を触ることである。デタッチとは、ユーザが指で入力部１１３を触れている場合に、触れている指を入力部１１３から離すことである。スライドとは、ユーザが指で入力部１１３に触れている場合に、触れているユーザの指が接触を維持しながら移動することである。入力部１１３は、座標値を検出するとタッチされたと判断する。入力部１１３が、検出している座標値が検出されなくなったらデタッチと判断する。入力部１１３は、検出している座標値が時間と共に変化している場合は、スライドと判断する。尚、入力部１１３に触れるのは、ユーザの指だけに限らない。ユーザの指以外のペン等でもよい。入力部１１３は、一般的なタッチパネル１０２で用いられている抵抗膜方式、光学式、静電容量結合式等の何れの方法で実現するものであってもよい。また、入力部１１３は、ユーザによるタッチを同時に複数検出することができる。入力部１１３は、ユーザによるタッチを一つ検出している場合において、ユーザによる新たなタッチを検出することができる。入力部１１３は、既にタッチされている位置の座標値と、新たにタッチされた位置の座標値とを制御部１１１に出力することができる。
【００２１】
記憶部１１０は、ＲＯＭ、ＲＡＭ、ＥＥＰＲＯＭ、不揮発性ＲＡＭ、フラッシュメモリ、ＨＤＤ等で構成され、制御部１１１で処理されるプログラム等を記憶する。
【００２２】
また、記憶部１１０は、ユーザによるタッチを検出している間、各入力部１１３から出力される座標値を単位時間（例えば１／６０秒）毎に記憶する機能を有する。つまり、記憶部１１０は、タッチ状態からデタッチ状態までの間に出力された座標値を記憶する。また、記憶部１１０は、少なくとも１つ以上の携帯電話番号を記憶することができる。
【００２３】
制御部１１１は、着信検出部１１４、状態判断部１１５、入力検出部１１６、表示制御部１１７、着信処理部１１８、を含み、携帯電話機１００の全体動作の制御を行う。制御部１１１は、例えばＣＰＵ（Central Processing Unit）などの処理手段である。
【００２４】
着信検出部１１４は、アンテナ１０６を介して、他の携帯電話機から通話要求を受信したか否かを検出することができる。着信検出部１１４は、通話要求を検出した場合に、通話要求を検出したことを状態判断部１１５及び表示制御部１１７に出力する。尚、通話要求とは、他の携帯電話機から送信される要求であって、携帯電話機１００との通話開始の要求である。ユーザは、他の携帯電話機からの通話要求に応答することにより、通話要求を送信した他の携帯電話機との通話を開始することができる。
【００２５】
状態判断部１１５は、通話要求を受信した場合に、放送受信部１０９にてテレビ放送波を受信しているか否かを判断することができる。状態判断部１１５は、判断した結果を表示制御部１１７に出力する。
【００２６】
入力検出部１１６は、表示部１１２に放送番組が表示されている場合において通話要求を受信したときに、入力部１１３により検出されたユーザによるタッチが、所定のタッチ入力であったか否かを判断する。所定のタッチ入力とは、例えば、入力部１１３により検出されたユーザによるタッチ位置が、後述する通話要求情報が表示された領域内である、又は入力により検出されたユーザによるタッチ位置が単位時間毎に変化したとき等である。前者の例示は、ユーザが、通話要求情報が表示された領域内をタッチすることであり、後者の例示は、ユーザが、タッチした後に、スライドする操作である。
【００２７】
表示制御部１１７は、着信検出部１１４、状態判断部１１５、及び入力検出部１１６からの出力に応じて、表示部１１２の表示を制御することができる。図３、図４、図５、図６、図７は、表示部１１２の表示の制御の一例を説明するための図である。尚、本実施例において、表示部１１２に表示される画像を、画面と称する場合がある。尚、表示制御部１１７は、着信検出部１１４、状態判断部１１５及び入力検出部１１６からの出力に関わらず、表示部１１２に表示される画像等を制御してもよい。
【００２８】
図３は、放送受信部１０９にてテレビ放送波が受信されていない場合であって通話要求を受信していないときに、表示制御部１１７が表示部１１２に表示させる画像（以下、第１画像と称する場合がある）である。第１画像は、待ち受け画面である。第１画像には、記憶部１１０に記憶されたアプリケーションプログラムを示すアイコン２００が表示されている。ユーザは、アイコン２００をタッチすることで、アイコン２００に関連付けられたアプリケーションプログラムを実行することができる。
【００２９】
図４は、放送受信部１０９にてテレビ放送波が受信されていない場合において着信検出部１１４により通話要求が受信されたときに、表示制御部１１７が表示部１１２に表示させる画像（以下、第２画像と称する場合がある）である。第２画像には、通話要求に応答するアイコン２０１、通話要求を拒否するアイコン２０２、通話要求を送信した携帯電話機に関する情報が含まれている。ユーザは、通話要求に応答するアイコン２０１をタッチすることで、通話を開始することができる。ユーザは、通話要求を拒否するアイコン２０２をタッチすることで、通話を拒否することができる。通話要求を祖新した携帯電話機１００の電話番号が予め記憶部１１０に記憶されている場合に、その携帯電話機に関する情報を一緒に表示してもよい。
【００３０】
表示制御部１１７は、テレビ放送波が受信されていない場合において通話要求の受信が検出されたときは、表示部１１２に表示させる画像を、第１画像から第２画像に変更する。
【００３１】
図５は、放送受信部１０９にテレビ放送波が受信されている場合において、着信検出部１１４により通話要求が受信されていないときに表示部１１２に表示される画像（以下、第３画像と称する場合がある）である。第３画像は、放送番組に含まれる画像である。放送受信部１０９にテレビ放送波が受信されている場合において、着信検出部１１４により通話要求が受信されていないときは、放送番組の動画が表示部１１２に表示されている。尚、図５では、放送番組に含まれる画像の例として「Ａ」が表示されている。
【００３２】
図６は、放送受信部１０９にテレビ放送波が受信されている場合において着信検出部１１４により通話要求が受信されたときに、表示制御部１１７が表示部１１２に表示させる画像（以下、第４画像と称する場合がある）である。第４画像は、第３画像が表示されている領域の一部に、通話要求を受信したことを示す情報（以下、通話要求情報と称する）が表示されている画像である。つまり、第４画像は、表示部１１２に表示されている放送番組に通話要求情報が重ねて表示されている画像である。尚、放送番組は動画像として表示されていてもよい。
【００３３】
表示制御部１１７は、テレビ放送波が受信されている場合において通話要求の受信が検出されたときは、表示部１１２に表示させる画像を、第３画像から第４画像に変更する。
【００３４】
図７は、放送番組に通話要求情報が重ねて表示されている場合において入力検出部１１６によりユーザによる所定のタッチ入力が検出されたときに、表示制御部１１７が表示部１１２に対して行う制御を示している。表示制御部１１７は、ユーザによる所定のタッチ入力が検出された場合に、表示部１１２の表示領域を少なくとも第１領域及び第２領域に分割する。表示制御部１１７は、第１領域に第２画像を表示させ、第２領域には放送番組を表示させる。ユーザは、第１領域に表示されたアイコンをタッチすることで、通話要求に対して応答することができる。尚、図７に示される画面を第５画像と称する場合がある。本実施の形態においては、表示制御部１１７は、第２画像と第５画像とを異なる領域に表示させることで説明するが、必ずしもこの場合に限られない。表示制御部１１７は、第２画像に表示されているアイコン又は情報を、放送番組が表示された領域に重なるように表示部１１２に表示させてもよい。
【００３５】
着信処理部１１８は、第２画像、及び第５画像において、検出されたユーザのタッチに基づいて通話処理を処理することができる。着信処理部１１８は、検出されたユーザによるタッチの位置が第２画像のアイコン２０１、第５画像のアイコン２０１が表示された領域内であるときは、通話要求を送信した携帯電話機との通話を開始する。着信処理部は、検出されたユーザによるタッチの位置が第２画像のアイコン２０２、第５画像のアイコン２０２が表示された領域内であるときは、通話要求を送信した携帯電話機との通話を拒否する。
次に、携帯電話機１００の動作について、図８を用いて説明する。
【００３６】
着信検出部１１４は、他の携帯電話機から通話要求を受信したか否かを判断する（Ｓ１）。着信検出部１１４により通話要求が受信されたことが検出されると（Ｓ１のＹＥＳ）、状態判断部１１５は、放送番組を受信しているか否かを判断する（Ｓ２）。表示制御部１１７は、状態判断部１１５により放送番組を受信していないと判断されたときは（Ｓ２のＮＯ）、例えば第2画像のように、通話要求を送信した相手に関する情報を表示部１１２に表示させる（Ｓ１０）。着信処理部１１８は、タッチされたアイコンに応じた通話処理を実行する（Ｓ１１）。着信処理部は、ユーザによりアイコン２０１がタッチされた場合には通話を開始し、アイコン２０２がタッチされた場合には、通話を拒否する。
【００３７】
表示制御部１１７は、状態判断部１１５により放送番組を受信していると判断された場合は（Ｓ２のＹＥＳ）、例えば第４画像のように、放送番組が表示されている領域の一部に、通話要求を受信したことを示す情報を表示部１１２に表示させる（Ｓ３）。
【００３８】
入力検出部１１６は、ユーザにより所定のタッチ入力がなされたか否かを判断する（Ｓ４）。表示制御部１１７は、入力検出部１１６により所定のタッチ入力がなされたと判断された場合には（Ｓ４のＹＥＳ）、例えば第５画像のように、表示部１１２の表示領域を少なくとも第１領域及び第２領域に分割する（Ｓ５）。表示制御部１１７は、第１領域に通話要求を送信した相手に関する情報及び通話要求に対する応答に関する情報を表示する（Ｓ６）。表示制御部１１７は、第２領域に放送番組に関する画像を表示する（Ｓ７）。
【００３９】
着信処理部１１８は、アイコン２０１がタッチされた場合には通話を開始し、着信処理部１１８は、アイコン２０２がタッチされた場合には、通話を拒否する（Ｓ８）。
【００４０】
表示制御部１１７は、着信処理部１１８により通話の開始又は通話の拒否が実行された後は表示領域の分割を終了し、そして、例えば第３画像のように、放送番組に関する画像を表示する。
【００４１】
以上の処理により、携帯電話機１００は、放送番組を表示している場合において通話要求を受け付けたときは、ユーザによる所定のタッチ入力を受けるまでは、ユーザに通話要求に対する処理を実行させるための画面を表示させない。これにより、ユーザは、例えばアプリケーションを実行している場合において通話要求を受信したときに、ユーザの意図
しないタイミングにて通話要求に応答することを回避することができる。
【００４２】
〔その他の実施形態〕
（１）本実施の形態における状態判断部１１５は、放送番組を受信しているか否かを判断したが、必ずしもこの場合に限られない。状態判断部１１５は、通話要求を受信した場合に、アプリケーションが実行されているか否かを判断してもよい。アプリケーションとは、例えばメール作成に関するアプリケーション、カメラ等の撮像部を備えている場合にはカメラで撮影した動画像又は静止画等の再生に関するアプリケーション、音楽データの再生に関するアプリケーション等である。この場合に、第３画像、第４画像及び第２領域に表示される画像は、アプリケーションを実行した場合に表示される画像が表示される。
【００４３】
（２）本実施の形態において、表示部１１２に表示される動画像は必ずしも放送番組に限られない。例えば、本実施の形態におけるアンテナ１０６及び無線部１０７とは異なる第２アンテナ及び第２無線部を備え、携帯電話機１００は、第２アンテナ及び第２無線部を介して、ネットワーク上に存在するサーバから動画像等を受信することでもよい。この場合に例えば、無線部１０７はＣＤＭＡの通信規格に対応し、第２無線部はＬＴＥの通信規格に対応していてもよい。第２無線部はＷｉＭＡＸの通信規格に対応していてもよい。
【００４４】
（３）本実施の形態において、携帯電話機１００は更に、加速度センサ等の振動検知部を備えていてもよい。振動検知部は、振動を検知することができる。着信処理部１１８は、例えば第４画像が表示されている場合において、振動検知部により振動が検知されたときは、他の携帯電話機からの通話要求を拒否してもよい。
【００４５】
（４）本実施の形態において、表示制御部１１７は、ユーザによる所定の入力を検出したときに第５画像を表示することで説明したが、必ずしも第５画像でなくてもよい。例えば、図９において第４画像が表示されている場合においてユーザによるタッチ３０１を検出した後にタッチ３０１が矢印３０２の方向に移動したときは、表示制御部１１７は、図１０に示すように第１領域及び第２領域を設定してもよい。例えば、図９において第４画像が表示されている場合においてユーザによるタッチ３０１を検出した後にタッチ３０１が矢印３０３の方向に移動したときは、表示制御部１１７は、図７に示すように第１領域及び第２領域を設定してもよい。
【００４６】
（５）携帯電話機１００は、通話要求を受信した場合に着信音を報知する着信音報知部と、通話要求を受信した場合に振動することで報知する振動報知部とを更に備えていても良い。着信音報知部は、通話要求を受信した場合において状態判断部１１５により放送番組が受信されていると判断されたときは、着信音による報知を実行しなくてもよい。振動報知部は、通話要求を受信した場合において状態判断部１１５により放送番組が受信されていると判断されたときは、振動による報知を実行しなくてもよい。尚、報知する方法としては、上記以外にＬＥＤ等の発光部を用いて報知してもよい。発光部は、通話要求を受信した場合において状態判断部１１５により放送番組が受信されていると判断されたときは、報知を実行しなくてもよい。
【００４７】
（６）、（５）において、着信音報知部、振動報知部、及び発光部は、通話要求を受信した場合において状態判断部１１５により放送番組が受信されていると判断されたときは、報知を実行しないことで記載したが、必ずしもこの場合に限られない。記憶部１１０は、更に少なくとも１以上の携帯電話番号を記憶し、着信音報知部と振動報知部と発光部は、通話要求を送信した携帯電話機１００の携帯電話番号が記憶部１１０に記憶されているか否かに応じて、報知するしないを判断してもよい。例えば、着信報知部、振動報知部、及び発光部は、通話要求を受信した際に状態判断部１１５により放送番組が受信されていると判断された場合に、通話要求を送信した携帯電話機１００の携帯電話番号が予め記憶部１１０に記憶されているときに報知を実行してもよい。着信報知部、振動報知部、及び発光部は、通話要求を受信した際に状態判断部１１５により放送番組が受信されていると判断された場合に、通話要求を送信した携帯電話機１００の携帯電話番号が予め記憶部１１０に記憶されていないときは、報知を実行しなくてもよい。これにより特定の携帯電話機１００からの通話要求をより確実にユーザに知らせることができる。
【００４８】
また、表示制御部１１７は、通話要求を受信した際に状態判断部１１５により放送番組が受信されていると判断された場合に、通話要求を送信した携帯電話機１００の携帯電話番号が予め記憶部１１０に記憶されているときは、ユーザによる所定の入力が検出されたか否かに関わらず、第３画像から第５画像に切り替えても良い。
【００４９】
また、表示制御部１１７は、通話要求を受信した際に状態判断部１１５により放送番組が受信されていると判断された場合に、通話要求を送信した携帯電話機１００の携帯電話番号が予め記憶部１１０に記憶されているときは、ユーザによる所定の入力が検出されたか否かに関わらず、第３画像から第２画像に切り替えても良い。
【００５０】
これにより、特定の携帯電話機１００から通話要求を受信したときは、ユーザは即座に通話要求に応答することができる。尚、他の携帯電話機に関する電話番号等は通話要求に含まれていても良い。
【００５１】
（７）、（６）において、記憶部１１０は、携帯電話番号を予め記憶する場合に、優先順位に関する情報と一緒に記憶してもよい。制御部１１１は、通話要求を受信した際に状態判断部１１５により放送番組が受信されていると判断された場合に通話要求を送信した携帯電話機１００の携帯電話番号が予め記憶部１１０に記憶されているときは、優先順位に従って報知の組合せを変更してもよい。例えば優先順位が１〜３まで定めた場合に、制御部１１１は、優先順位１の携帯電話番号からの通話要求に対しては、携帯電話番号に関する情報の表示、着信音による報知、振動による報知、発光による報知を行い、優先順位２の携帯電話番号からの着信に対しては、着信音による報知は行わず、携帯電話番号に関する情報の表示、振動による報知、発光による報知を実行し、優先順位３の携帯電話番号からの通話要求に対しては、全ての報知を実行しない。
【００５２】
（８）本実施の形態では、着信処理部１１８は、ユーザによりアイコンがタッチされたときは通話要求を拒否することで記載したが、必ずしもこの場合に限られない。着信処理部１１８は、アイコンがタッチされたときは、留守番電話サービスに通話要求を転送してもよい。操作部１０５により操作を受け付けた場合に、着信処理部１１８は、通話要求を拒否してもよい。
【００５３】
（９）本実施の形態では、着信処理部１１８は、振動検知部により振動が検知されると通話要求を拒否することで記載したが、必ずしもこの場合に限られない。着信処理部１１８は、振動検知部により振動が検知されると、留守番電話サービスに通話要求を転送してもよい。また、操作部１０５により操作を受け付けた場合に、着信処理部１１８は、通話要求を留守番電話サービスに転送してもよい。
【００５４】
（１０）本実施の形態では、放送番組と通話要求に対する応答に関する情報とは異なる領域に表示されることで記載したが必ずしもこの場合に限られない。放送番組が表示されている画像に重なるように、通話要求に対する応答に関する情報を表示してもよい。
【００５５】
（１１）本実施の形態では、他の携帯電話機からの通話要求を例に記載したが、必ずしもこの場合に限られない。他の携帯電話機からメールが送信された場合においても本実施の形態を適用することができる。この場合に、第２画像、第５画像において、アイコンは受信メールの表示を実行するためのアイコンに置き換わり、アイコンは受信メールの表示
を実行しないためのアイコンに置き換わる。また、他の携帯電話機から送信される通話要求、メール等、他の携帯電話機から送信される情報を総称して着信要求と称しても良い。この場合に、他の携帯電話機に関する情報（例えば他の携帯電話機の電話番号、メールアドレス、固有のID番号等）は、通話要求、送信されたメール等の中に含まれて送信されてもよい。
【００５６】
また、本実施の形態では携帯電話機１００は、表示部１１５に表示する情報を電話番号に基づいて判断したが、必ずしもこの場合に限らない。記憶部は、携帯電話機の電話番号、メールアドレス、固有のID番号等を記憶することができ、携帯電話機１００は、他の携帯電話機から送信された他の携帯電話機に関する情報に基づいて表示部１１５に表示する情報を判断してもよい。
【００５７】
（１２）本実施の形態では、携帯電話機を用いて説明したが、必ずしも携帯電話機に限られない。ＰＤＡ等の通信機能を備えた携帯電子機器であれば本発明を実施することができる。尚、通信機能を備えた携帯電子機器を通信機器と称しても良い。
【００５８】
（１３）本実施の形態では、携帯電話機１００は他の携帯電話機から送信された通話要求を受信することで記載したが必ずしもこの場合に限られない。携帯電話機１００は、ＰＤＡ等の通信機能を備えた携帯電子機器から送信された通話要求を受信してもよい。尚、通信機能を備えた携帯電子機器を通信機器と称しても良い。
【符号の説明】
【００５９】
１０２  タッチパネル
１０３  スピーカ
１０４  マイク
１０５  操作部
１０６  アンテナ
１０７  無線部
１０８  信号処理部
１０９  放送受信部
１１０  記憶部
１１１  制御部
１１２  表示部
１１３  入力部
１１４  着信検出部
１１５  状態判断部
１１６  入力検出部
１１７  表示制御部
１１８  着信処理部
【図１】
0005908691.tif 000002
【図２】
0005908691.tif 000003
【図３】
0005908691.tif 000004
【図４】
0005908691.tif 000005
【図５】
0005908691.tif 000006
【図６】
0005908691.tif 000007
【図７】
0005908691.tif 000008
【図８】
0005908691.tif 000009
【図９】
0005908691.tif 000010
【図１０】
0005908691.tif 000011